(57)【要約】【課題】  A4サイズに折畳んで新聞ストッカーに積集した新聞古紙、或は、集積した雑誌やその他の雑紙を効率よく結束するため、新聞ストッカーにセットして用いるときには誰でも容易にセットすることができ、また、長さの異なる２本の紐であっても両紐をそれらのセンターにおいて容易に結合できるようにした新聞古紙などの結束用の紙紐を提供すること。【解決手段】  一方の紐１を、その長さがA4サイズの短辺の長さの２倍に新聞古紙などを積重した高さの２倍を加えた長さより大きな長さに、及び、他方の紐２を、その長さがA4サイズの長辺の長さの２倍に新聞古紙などを積重した高さの２倍を加えた長さより大きな長さに、それぞれ形成した２本の紐１，２から成り、前記２本の紐１，２の略中心に双方の紐１，２を十字状に結合するための目印としてセンターマーク３を付けたこと。【選択図】図１
0003130989.tif 000002
【実用新案登録請求の範囲】
【請求項１】
一方の紐を、その長さがA4サイズの短辺の長さの２倍に新聞古紙などを積重した高さの２倍を加えた長さより大きな長さに、及び、他方の紐を、その長さがA4サイズの長辺の長さの２倍に新聞古紙などを積重した高さの２倍を加えた長さより大きな長さに、それぞれ形成した２本の紐から成り、前記２本の紐の略中心に双方の紐を十字状に結合するための目印としてセンターマークを付けたことを特徴とする新聞古紙などの結束用の紐。
【請求項２】
２本の紐には、センターマークを付けて、又は、センターマークを付けずに、少なくとも一方の紐に十字状に結束するとき結び合せるための結束用目印を付けた請求項１の新聞古紙などの結束用の紐。
【請求項３】
２本の紐の少なくとも１本には、新聞ストッカーの長辺側と、及び／又は、短辺側に付けたセット用目印に符蝶するセット用目印を付けた請求項１の新聞古紙などの結束用の紐。
【請求項４】
一方の紐を、その長さがA4サイズの短辺の長さの２倍に新聞古紙などを積重した高さの２倍を加えた長さより大きな長さに、及び、他方の紐を、その長さがA4サイズの長辺の長さの２倍に新聞古紙などを積重した高さの２倍を加えた長さより大きな長さに、それぞれ形成した２本の紐を、２本の紐の略中心部で略十字状をなすように結束し、２本の紐の少なくとも一方には、新聞ストッカーの長辺側と、及び／又は、短辺側に付けたセット用目印にそれぞれ符蝶するセット用目印か、又は、新聞古紙などを略十字状に結束するとき結び合せる紐に結束用目印を付けたことを特徴とする新聞古紙などの結束用の紐。
【請求項５】
他方の紐の長さを一方の紐の長さと同じに形成した請求項１〜４のいずれかの新聞古紙などの結束用の紐。
【請求項６】
２本の紐の略中心に付けるセンターマークとなる目印は、着色又はリボンなどの柔軟性突出物により形成した請求項１〜５のいずれかの新聞古紙などの結束用の紐。
【請求項７】
新聞ストッカー側に付けたセット用目印と、２本の紐の双方、又は、一方に付けたセット用目印は、前記ストッカーの長辺側と長い方の紐、又は、前記ストッカー短辺側と短い方の紐に付けた目印と付蝶するものである請求項１〜６のいずれかの新聞古紙などの結束用の紐。
【請求項８】
２本の紐は、センターマーク部位で略十字状に結合した状態か、又は、２本の紐を結合しないで並行に並べた状態で、保管，流通，販売において取扱うようにした請求項１〜７のいずれかの新聞古紙などの結束用の紐。
【考案の詳細な説明】
【技術分野】
【０００１】
本考案は、新聞ストッカーと組み合わせて用いることによって、より有用性が発揮される新聞古紙や雑誌、雑紙などを一纏めにしてリサイクル用に供出するなどのための結束用の紐に関する。
【背景技術】
【０００２】
従来から新聞古紙や雑誌、或は、雑紙は、再生紙用の原料としてリサイクル可能な資源ゴミとして回収されており、各家庭などでは新聞古紙や雑誌、雑紙を、プラスチック紐などで結束して回収場所などへ供出している。
【０００３】
一般に、各家庭では、読み終わった新聞紙をA4サイズの大きさに折り畳み、折畳んだ新聞紙や同サイズの雑誌等を天蓋のない箱状の新聞ストッカーの中に積み重ね、一定量が集積されると、その集積古紙を結束するために、紐を床に延ばして置き、前記ストッカーを反転させて積み重ねた新聞古紙・雑誌、雑紙を延ばした１本の紐の上に載せ、当該新聞紙・雑誌の一方の辺に沿って仮結束し、この状態で十字状に配置した結束の紐を延ばしその新聞古紙や雑誌、雑紙を再度反転させて、残りの辺に沿って結束している。
【０００４】
本考案の考案者らは、先に、上記のような新聞古紙・雑誌などの結束を容易にするため、予め新聞ストッカーの底部にA4サイズの長辺と短辺に対しクロスした紙紐の２本の結束紐を掛け渡しておき、その上に新聞古紙・雑誌、雑紙を積み重ね、所定集積量（高さ）になると、前記クロス状の結束紐でストッカー内に集積した新聞古紙などを結束するようにした装置を、実用新案登録第3111887号として提案している（特許文献１参照）。
【０００５】
しかし、予め新聞ストッカーの底部にクロス状に結束した結束紐を掛け渡しておく取扱い手法では、 (イ)２本の紙紐をクロス状に予め結合する煩しさがあること、 (ロ)使用する紙紐の長さがA4サイズの長辺側と短辺側とでは異なるため、長さの異なる２本の紐を夫々のセンターで位置ずれなく結合することは容易でないこと、 (ハ)長さの異なるクロス結合した紙紐を、ストッカーの長辺と短辺を見分けてセットすることは煩しいことなどの問題がある。
【特許文献１】実用新案登録第３１１１８８７号公報
【考案の開示】
【考案が解決しようとする課題】
【０００６】
そこで本考案では、A4サイズに折畳んで新聞ストッカーに積集した新聞古紙、或は、集積した雑誌やその他の雑紙を効率よく結束するため、新聞ストッカーにセットして用いるときには誰でも容易にセットすることができ、また、長さの異なる２本の紐であっても両紐をそれらのセンターにおいて容易に結合できるようにした新聞古紙などの結束用の紙紐を提供することを、その課題とする。
【課題を解決するための手段】
【０００７】
上記課題を解決することを目的としてなされた本考案の新聞古紙・雑誌、雑紙などの結束用紐の構成は、一方の紐を、その長さがA4サイズの短辺の長さの２倍に新聞古紙などを積重した高さの２倍を加えた長さより大きな長さに、及び、他方の紐を、その長さがA4サイズの長辺の長さの２倍に新聞古紙などを積重した高さの２倍を加えた長さより大きな長さに、それぞれ形成した２本の紐から成り、前記２本の紐の略中心に双方の紐を十字状に結合するための目印としてセンターマークを付けたことを特徴とするものである。ここで、「より大きな長さ」とは、双方の紐同士を結び付けるための結び代として使用できる長さである。
【０００８】
また、本考案においては、その結束用紐の構成を、一方の紐を、その長さがA4サイズの短辺の長さの２倍に新聞古紙などを積重した高さの２倍を加えた長さより大きな長さに、及び、他方の紐を、その長さがA4サイズの長辺の長さの２倍に新聞古紙などを積重した高さの２倍を加えた長さより大きな長さに、それぞれ形成した２本の紐を、２本の紐の略中心部で略十字状をなすように結束し、２本の紐の少なくとも一方には、新聞ストッカーの長辺側と、及び／又は、短辺側に付けたセット用目印にそれぞれ符蝶するセット用目印を付けたものとすることもできる。
【０００９】
本考案において、上記２本の紐は、長い方の紐２本で形成することもある。この場合も、各紐の略中心には、着色，リボンなどによる目印を付ける。また、新聞ストッカーに上記紐をセットするため、長さが異なる紐に、新聞ストッカーの長辺側か短辺側かのセット位置を判別するために着色などによる第２の目印をセット用目印として付けることが望ましい。さらに、ストッカーにセットしないで用いる際に、新聞古紙等を十字状に結束するとき結び合せる紐に結束用の目印を付けておくと、使い勝手が良い。
【考案の効果】
【００１０】
本考案では、新聞古紙などの結束用紐を、一方の紐を、その長さがA4サイズの短辺の長さに新聞古紙などを積重した高さの２倍を加えた長さより大きな長さに、及び、他方の紐を、その長さがA4サイズの長辺の長さに新聞古紙などを積重した高さの２倍を加えた長さより大きな長さに、それぞれ形成した２本の紐から成り、前記２本の紐の略中心に目印をセンターマークとして付けて形成したので、誰もが容易に２本の紐を、両紐のセンター近傍でクロス状に結合することができる。
また、２本の紐には、新聞ストッカーの長辺側と短辺側に付けた異なるセット用目印にそれぞれ符蝶するセット用目印を付け、また、ストッカーを用いない２本の紐でも、新聞古紙等を十字状に結束するとき、結び合せる紐に同じ目印（結束用目印）を付けたので、新聞ストッカーへのセットする場合も、ストッカーにセットしない場合でも、紐の長さ違いや結び合せる紐を意識したり、間違えたりすることなく、誰でも容易にストッカーにセットしたり、十字状に紐をかけて結束することができる。
【考案を実施するための最良の形態】
【００１１】
次に、本考案の実施の形態例について添付図面を参照して説明する。
図１は本考案結束用紐を平行に並べた一例の平面的斜視図、図２は図１の２本の紐を十字状に結合した状態の平面的斜視図、図３は２本の紐を同じ長さに形成し平行に並べた状態の別例の平面斜視図、図４は図２のクロス状の結合紐を新聞ストッカーの一例にセットした例の斜視図である。
【００１２】
本考案による新聞古紙・雑誌、雑紙などの結束用紐の一例は、再生紙の原料として利用可能な紙製であって、新聞等を結束した時の引張強度を確保するために、２枚の細長い帯紙を撚って形成した紙紐１，２であることが望ましい。
【００１３】
なお、新聞古紙・雑誌、雑紙などを通常の可燃性廃棄物として廃棄処理する場合には、新聞古紙・雑誌、雑紙などの結束用紐として使用するのは紙製の紐に限られず、ビニール等の合成樹脂や藁などの素材とする可燃性材料によって形成したものであってもよい。
【００１４】
帯紙を撚って形成した結束用の紐１，２は、所定長さ、例えばここではA4サイズの長辺の２倍の長さにストッカーにおける新聞等の集積高さ（積重高さ）の２倍の長さを加え、それに少なくとも結び代となる長さを加えた長さの紐１と、A4サイズの短辺の２倍＋集積高さ（積重高さ）の２倍長に少なくとも結び代となる長さを加えた長さを有する紐２により、本考案に係る２本の結束用紐の一例を形成する。
ここで、A4サイズの短辺及びA4サイズの長辺とは、新聞紙をA4判の大きさに折畳んだ時の短辺の長さと長辺の長さを意味する。
【００１５】
本考案では、図１に示すように前記結束用の紐１と２を、それぞれの中心でＵ字状に折り曲げたり、或は、折り曲げないでセンターを出し、両紐１，２のセンター部乃至その近傍に、有彩色等のインクの塗布や当該インクへの浸漬などの手法により目印を形成し、これをセンターマーク（センター目印）３とする。なお、センターマーク３は着彩に限られるものではなく、例えば、紐を撚る際に、撚られる紐にほぼ定長ピッチで糸や冊などの目印を撚り込んで付けてもよい。
【００１６】
上記２本の紐１，２は長さが異なるので、平面から視てA4サイズを平面形状で収納できる新聞ストッカーSt（図４参照、図４のストッカーは一例である。）にセットするには、長い紐１と短い紐２のそれぞれの長さとストッカーStの長辺，短辺を揃えなければならない。このため、本考案では、長い紐１の両端又は一端に、長い紐であることの目印４を、また、短かい紐２の両端又は一端に、短かい紐２であることの目印５を、それぞれセット用目印として付けた。これらの目印４，５は、上記センター目印３と同じ手法で付ければよい。なお、セット用の目印４，５は、必ずも紐１，２の端部に付ける必要はなく、紐１，２の任意の中間部分であってもよい。また、上記セット用目印４，５は、ストッカーStにセットして用いないときには、新聞古紙などを結束するとき結び合せる紐の結束用目印としても機能する。
【００１７】
このようにして形成された、一方が短く且つ他方が長い結束の２本の紐１，２は、そのセンターマーク３の部分を揃えて十字状に配置し、図２に示すようにクロスしたセンターマーク３の部分を、結び付けや接着剤又はホチキス等によってクロス状に結合したマーク３の部分が解けないように両紐１，２を結合することにより、予め十字状に結合された本考案の結束用紐の一例に形成される。
【００１８】
次に、上記のように形成される本考案による結束用紐の使用方法について説明する。
まず、折畳んだ新聞を集積するために図４に例示したような新聞ストッカーStを床面に配置する。
すなわち、前記新聞ストッカーStは、図４に示すように、プラスチック，金属，木材等の剛性材料からなる平面形状がA4サイズを一回り大きくした長方形で、上面が開された箱型であり、その底面には中央に穴6aを設けた着脱式の底台座６を有している。このストッカーStにおける４面の側壁７，８，９，10のうち相対向する長辺側の２側壁７，９は開口面より底面に向かって台形状に切り欠いた露出面に形成されている。
【００１９】
ここで、各側壁７〜10の上部側は略凹状に形成され、該凹状部の上縁中央には、紐１，２の中間部分を挟持させるための細溝状の切欠7a〜10aが設けられている。なお短辺側の２側壁８，10はその略中央にこのストッカーStを持上げるための手掛かり窓が設けられることがあるが、図示していない。以上により本考案の結束用紐が適用される新聞ストッカーStの一例が形成されている。
【００２０】
本考案結束用紐は、前記新聞ストッカーStの底の穴６に交叉結合したセンターマーカー３の部分が位置するように配置し、当該新聞ストッカーStの各側壁７〜10の切欠7a〜10aに面にそれぞれ結束紐１，２の中間部位が垂れ下がるようにセッティングする。このとき、切欠7a，9aの近傍には、紐２のセット用目印５と同じ色などによる目印7a（但し、目印9bは図に表れず）が形成され、切欠8a，10aの近傍には紐１のセット用目印４と同じ色などによる目印10b（但し、目印8bは図に表れず）が形成されているので、両紐１，２は、目印４，５を切欠7a〜10aの目印7b，9b、同8b，10bに合せてセットする。このセット状態において、読み終わった新聞古紙・雑誌、雑紙が上記新聞ストッカーStの中にに順次積み重ねられて保管される。
【００２１】
上記のようにして新聞古紙などがストッカーStの中で所定の高さ（ストッカーStの高さ）まで集積されたら、ストッカーStにセットした結束用紐の、一例として前後の短かい紐２により、当該集積新聞古紙などを縦断する形で結束する。そして、左右の長い紐１により紐２で縛った前記集積古紙の塊を、横断的に結束して、古紙集積塊の上面で、紐１と２同士をさらに結束することにより、ストッカーStに集積された新聞古紙等をそのまま供出可能状態に結束梱包する。
【００２２】
本考案結束用紐１，２の使用態様は、上記例に限られるものではなく、中心に穴6aを形成した底台座６だけで形成する台状ストッカー（図４に符号６で示した台状物）に、上記のクロス結合した紐１，２をセットして使用する場合もある。また、底台座６や底部を備えない四周の側壁７〜10だけを備えた新聞ストッカー（図示せず）に本考案紐をセットする態様もある。
【００２３】
本考案では、上記の底を有するストッカーStや底を備えない周壁だけのストッカー、或は、台状ストッカーなどのストッカーを使用せずに、本考案紐を用いることができる。このようにストッカーを使用しない場合の上記のセット用目印４，５は、新聞古紙等を十字状に結束するとき、結び合せる紐１（2）の結束用目印としても作用するので、十字状結束を容易に行うことができる。
また、本考案では、台状ストッカーや前記の台状物６に、紐のセット用目印として穴6aを通る色違いの十字状の線や１本の線、或は、紐１又は２に付けたセット用目印４や５と付蝶する目印を付けることもある。
【００２４】
さらに、本考案結束用紐は、２本の紐１，２を予め十字状に結合したもののほか、２本の紐１，２を平行に並べたままで製造，販売し、それを購入した使用者が紐１，２をクロス状に結合して、上記のような各態様で使用することもできる。
【００２５】
本考案における２本の紐１，２は、ストッカーSt又は折畳んだ新聞のサイズに合せて長，短２種類あることが望ましいが、長い方の紐１の２本をセットすることによって、本考案結束用の紐に形成することもある。同長の２本の紐を１セットとして用いれば、使用する紐の種類が一種類であるから、製造面で有利であるほか、ストッカーStへのセットにおける方向性がなくなる。この場合、結び合せる紐に同じ目印を付けていると、新聞古紙等の本考案紐による十字状結束を、結び合せる紐の相手方を間違いなく選択できるので、迅速，容易な十字状結束を行うことができる。
【産業上の利用可能性】
【００２６】
本考案は以上の通りであって、新聞古紙，雑誌，雑紙などをストッカーに集積したとき、当該集積古紙を効率よく結束して集積塊化し、そのままリサイクル用などに供出できるから、新聞古紙などを誰もが、手軽かつ容易に結束した状態でリサイクルに回すときなどに使用して有用な資材である。また、十字状に結束した状態、或は、利用者が使用時に結束できるようにした商品形態で市場に提供できるので、特に新聞古紙の家庭などでの取扱いが容易になる。
【図面の簡単な説明】
【００２７】
【図１】本考案結束用紐を平行に並べた一例の平面的斜視図。
【図２】図１の２本の紐を十字状に結合した状態の平面的斜視図。
【図３】２本の紐を同じ長さに形成し平行に並べた状態の別例の平面斜視図。
【図４】図２のクロス状の結合紐を新聞ストッカーの一例にセットした例の斜視図。
【符号の説明】
【００２８】
１                長い紐
２                短かい紐
３                センターマーク
４，５            セット用目印
６                底台座
6a                穴
７，８，９，10    ストッカーの側壁
7a〜10a           各側壁に設けた紐セット用の切欠
【図１】
0003130989.tif 000003
【図２】
0003130989.tif 000004
【図３】
0003130989.tif 000005
【図４】
0003130989.tif 000006